(57)【要約】      （修正有）【課題】光源からの光線を直接キートップに照射させる発光式キーボードモジュールを提供する。【解決手段】ベースプレート１０と、メンブレンスイッチシート１１と、回線が形成される発光部材メンブレンシート１２と、複数のキートップ１３と、複数のリンク部材１４と、複数の発光部材１５とを有し、メンブレンスイッチシート１１と、発光部材メンブレンシート１２と、複数のリンク部材１４とが順にベースプレート１０に設置され、各キートップ１３が夫々各リンク部材１４の上端に取り付けられ、発光部材１５が発光部材メンブレンシート１２におけるキートップ１３の下方に設置されると共に、前記回線と接続されることを特徴とする。【選択図】図３
0003146191.tif 000002
【実用新案登録請求の範囲】
【請求項１】
ベースプレートと、メンブレンスイッチシートと、回線が形成される発光部材メンブレンシートと、複数のキートップと、複数のリンク部材と、複数の発光部材とを有し、
前記メンブレンスイッチシートと、前記発光部材メンブレンシートと、前記複数のリンク部材とが順に前記ベースプレートに設置され、前記各キートップが夫々該各リンク部材の上端に取り付けられ、前記発光部材が該発光部材メンブレンシートにおけるキートップの下方に設置されると共に、前記回線と接続されることを特徴とする発光式キーボードモジュール。
【請求項２】
前記発光部材がＬＥＤチップであることを特徴とする請求項１に記載の発光式キーボードモジュール。
【請求項３】
前記ベースプレートに複数のキースイッチ構造が突設され、前記メンブレンスイッチシートに夫々該キースイッチ構造と対応する複数の孔が形成され、前記発光部材メンブレンシートに夫々該キースイッチ構造に対応する複数の孔が形成されると共に、発光部材メンブレンシートにおける、該各キースイッチ構造と対応する位置に上方へ向かってラバードームが突設され、前記キートップの下部にキートップ係合構造が形成され、前記リンク部材の上端と下端に夫々該キースイッチ構造とキートップ係合構造に係合するための構造が形成され、
前記ベースプレートにおける複数のキースイッチ構造が孔及び孔と対応するように形成され、前記各リンク部材は、その一側の下端が該ベースプレートのキースイッチ構造に係合されると共に、上端が前記キートップにおけるキートップ係合構造に係合されることを特徴とする請求項１又は請求項２に記載の発光式キーボードモジュール。
【考案の詳細な説明】
【技術分野】
【０００１】
本考案は、特にキーボード本体において、各キートップの下方に夫々１つの発光部材が光源として設置される発光式キーボードモジュールに関するものである。
【背景技術】
【０００２】
図４に示すように、台湾実用新案登録第Ｍ３２４８１６号公報に記載のキーボードサイドライト構造は、ベースプレート（２０）を有し、該ベースプレート（２０）上に、順にメンブレンスイッチシート（２１）、ラバードームシート（２２）、リンク部材（２３）及びキートップ（２４）が設置されると共に、該ベースプレート（２０）の下方に光線ガイドプレート（２５）が設けられ、該光線ガイドプレート（２５）の側辺に光源（２６）が設けられ、更に、前記ベースプレート（２０）に複数の係合構造（２７）が設けられ、前記ラバードームシート（２２）に複数の係合構造（２７）の間に位置するようにラバードーム（２２１）が突設され、該係合構造（２７）に前記リンク部材（２３）が係合され、該リンク部材（２３）の上方、且つラバードーム（２２１）の上方にキートップ（２４）が設置される。
【０００３】
前記従来技術によるサイドライト式キーボードは、前記光源（２６）から前記光線ガイドプレート（２５）に向かって光線を照射させ、前記光線ガイドプレート（２５）によって光線を上方へガイドされるものであるが、より発光効率を向上させるために、前記光線ガイドプレート（２５）の下方に、更に光源（２６）からの光線を上方へ反射させる反射プレート（２８）を設けてもよい。そして、前記光線ガイドプレート（２５）によって上方へガイドされた光線を、前記キートップ（２４）の下部に照射し、該キートップ（２４）における符号、文字が形成される透明部又は半透明部を照らし出す。これにより、暗所において使用しても、キートップ（２４）をしっかりと目視しながら操作を行うことができる。
【考案の開示】
【考案が解決しようとする課題】
【０００４】
しかしながら、前記従来技術によるサイドライト式キーボードは、受動的な反射光により発光するものであり、該反射光は均一に照射されていないので、照明効果に優れないといった問題があった。また、このサイドライト式キーボードにおいては、キートップに向かって照射されるように光線を上方に向かわせるために、前記光線ガイドプレート（２５）や反射プレート（２８）を設置しなければならないので、キーボードモジュールの厚さが増加してしまい、コンピュータ関連商品が益々薄型化になりつつある今ではそのニーズを満足できない問題があった。
【０００５】
そこで、案出されたのが本考案であって、光源からの光線を直接にキートップに照射させることにより、従来の技術によるサイドライト式キーボードにおける厚さの増加や照明効果に優れないといった問題を解決する、発光式キーボードモジュールを提供することを目的としている。
【課題を解決するための手段】
【０００６】
本願の請求項１の考案は、ベースプレートと、メンブレンスイッチシートと、回線が形成される発光部材メンブレンシートと、複数のキートップと、複数のリンク部材と、複数の発光部材とを有し、
前記メンブレンスイッチシートと、前記発光部材メンブレンシートと、前記複数のリンク部材とが順に前記ベースプレートに設置され、前記各キートップが夫々該各リンク部材の上端に取り付けられ、前記発光部材が該発光部材メンブレンシートにおけるキートップの下方に設置されると共に、前記回線と接続されることを特徴とする発光式キーボードモジュール、を提供する。
【０００７】
本願の請求項２の考案は、前記発光部材がＬＥＤチップであることを特徴とする請求項１に記載の発光式キーボードモジュール、を提供する。
【０００８】
本願の請求項３の考案は、前記ベースプレートに複数のキースイッチ構造が突設され、前記メンブレンスイッチシートに夫々該キースイッチ構造と対応する複数の孔が形成され、前記発光部材メンブレンシートに夫々該キースイッチ構造に対応する複数の孔が形成されると共に、発光部材メンブレンシートにおける、該各キースイッチ構造と対応する位置に上方へ向かってラバードームが突設され、前記キートップの下部にキートップ係合構造が形成され、前記リンク部材の上端と下端に夫々該キースイッチ構造とキートップ係合構造に係合するための構造が形成され、
前記ベースプレートにおける複数のキースイッチ構造が孔及び孔と対応するように形成され、前記各リンク部材は、その一側の下端が該ベースプレートのキースイッチ構造に係合されると共に、上端が前記キートップにおけるキートップ係合構造に係合されることを特徴とする請求項１又は請求項２に記載の発光式キーボードモジュール、を提供する。
【考案の効果】
【０００９】
本考案は上記の課題を解決するものであり、各キートップの下方に設けられる発光部材メンブレンシート上に夫々１つの発光部材が設けられることから、発射された光線は直接上方へ向かって前記キートップの下部を照らすので、従来の反射式照明を上回る効果を得ることができる。また、光線ガイドプレートおよび反射プレートが不要となることから、発光式キーボードモジュールの薄型化を達成できる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る発光式キーボードモジュールの部分分解斜視図であり、図２は本考案に係る発光式キーボードモジュールの他の部分分解斜視図であり、図３は本考案に係る発光式キーボードモジュールの部分側面透視図である。
【００１２】
図１乃至図３に示すように、本考案に係る発光式キーボードモジュールは、ベースプレート（１０）と、メンブレンスイッチシート（１１）と、回線（１６）が形成される発光部材メンブレンシート（１２）と、複数のキートップ（１３）と、複数のリンク部材（１４）と、複数の発光部材（１５）とを有するものである。
【００１３】
前記ベースプレート（１０）には、複数のキースイッチ構造（１０１）が突設される。
【００１４】
前記メンブレンスイッチシート（１１）は、前記キートップ（１３）が押圧された時に信号を発生するものであり、該メンブレンスイッチシート（１１）における、前記複数のキースイッチ構造（１０１）と対応する位置にそれぞれ、該キースイッチ構造（１０１）を設置するための複数の孔（１１０）が形成される。
【００１５】
前記発光部材（１５）は、照明用の光線を発生するためのものであればよく、例えば、ＬＥＤチップなどであってもよい。
【００１６】
前記発光部材メンブレンシート（１２）における、前記ベースプレート（１０）のキースイッチ構造（１０１）と対応する位置にそれぞれ、該キースイッチ構造（１０１）を設置するための複数の孔（１２０）が形成されると共に、該発光部材メンブレンシート（１２）における、該各キースイッチ構造（１０１）と対応する位置にそれぞれ、上方へ向かってラバードーム（１２１）が突設され、また、該発光部材メンブレンシート（１２）に形成される回線（１６）は、前記発光部材（１５）と接続され、該発光部材（１５）に対して作動に必要な電源を供給するためのものである。
【００１７】
前記キートップ（１３）には、透明部または半透明部が形成されると共に、該キートップ（１３）の下部にキートップ係合構造（１３１）が形成される。
【００１８】
前記リンク部材（１４）の上端と下端には夫々、前記キースイッチ構造（１０１）とキートップ係合構造（１３１）に係合するために必要な構造（符合なし）が形成される。
【００１９】
上述したように、本考案に係る発光式キーボードモジュールは、メンブレンスイッチシート（１１）と、発光部材メンブレンシート（１２）と、複数のリンク部材（１４）とが順にベースプレート（１０）上に設置され、該ベースプレート（１０）上に、該メンブレンスイッチシート（１１）における孔（１１０）及び発光部材メンブレンシート（１２）における孔（１２０）の表面から突出する複数のキースイッチ構造（１０１）が設けられ、該リンク部材（１４）は、その一側の下端が該キースイッチ構造（１０１）に係合されると共に、他側の上端がキートップ（１３）におけるキートップ係合構造（１３１）に係合され、更に、発光部材（１５）は、光線を発射するものであり、前記発光部材メンブレンシート（１２）における、キートップ（１３）の下方と対応する位置に設けられ、回線（１６）と接続され、また、該回線（１６）およびメンブレンスイッチシート（１１）の電源は、コンピュータ（図示せず）に形成された回線と接続されるものであってもよい。
【産業上の利用可能性】
【００２０】
本考案は、上述したように、照明用の光源として、各キートップの下方における発光部材メンブレンシート上にそれぞれ１つの発光部材が設置されるものであり、これにより、該発光部材が発光すると、その放たれた光線が直接キートップの下端を照射し、該光がキートップの透明部または半透明部を透過するので、本考案に係る発光式キーボードモジュールの照明効果を大幅に向上させることができる。また、本考案の発光式キーボードモジュールには、光線ガイドプレートや反射プレートを設ける必要がないので、発光式キーボードモジュールを用いた商品の薄型化を達成できる。
【図面の簡単な説明】
【００２１】
【図１】本考案に係る発光式キーボードモジュールの部分分解斜視図である。
【図２】本考案に係る発光式キーボードモジュールの部分分解斜視図である。
【図３】本考案に係る発光式キーボードモジュールの部分側面透視図である。
【図４】従来の発光キーボードの部分側面断面図である。
【符号の説明】
【００２２】
１０  ベースプレート
１０１        キースイッチ構造
１１  メンブレンスイッチシート
１１０        孔
１２  発光部材メンブレンシート
１２０        孔
１２１        ラバードーム
１３  キートップ
１３１        キートップ係合構造
１４  リンク部材
１５  発光部材
１６  回線
２０  ベースプレート
２１  メンブレンスイッチシート
２２  ラバードームシート
２２１        ラバードーム
２３  リンク部材
２４  キートップ
２５  光線ガイドプレート
２６  光源
２７  係合構造
２８  反射プレート
【図１】
0003146191.tif 000003
【図２】
0003146191.tif 000004
【図３】
0003146191.tif 000005
【図４】
0003146191.tif 000006